(57)【要約】【課題】ミラーに歪みを発生させることなく、ミラーをバックカバーへ確実に固定保持し、透過型スクリーンに映し出される映像に歪みがないリアプロジェクションディスプレイ装置を提供する。【解決手段】映像光を発生させる映像投射ユニット９と、映像光を反射するミラー８と、ミラーで反射された映像光を映す透過型スクリーン７とを備え、前記透過型スクリーン７の後方側を覆うバックカバー５の内面に、連結体１１ｂ、圧力蓋１１ｃ、圧力体１１ｄからなる吸盤構造体１１で、ミラー８の裏面を直接吸着保持し、連結体１１ｂを結合体１３でバックカバー５へ固定することにより、ミラー８に歪を発生させることなく固定保持する。【選択図】図１
2009216846.tif 000002
【特許請求の範囲】
【請求項１】
映像光を発生させる映像投射ユニットと、前記映像光を反射するミラーと、このミラーで反射された映像光を映写する透過型スクリーンと、この透過型スクリーンの後方側を覆うバックカバーと、このバックカバーの内面に位置する前記ミラーを固定保持する吸盤構造体と、を備えたリアプロジェクションディスプレイ装置。
【請求項２】
前記吸盤構造体の構造が、内側に内設空間を設ける圧力蓋と、この圧力蓋内側に設ける吸盤と、この吸盤上部中央に設けられ、前記圧力蓋を貫き、前記圧力蓋外側に突出した連結体と、前記圧力蓋外側に設けられ、前記連結体及び吸盤を上下動させる圧力体と、を備えた請求項１に記載のリアプロジェクションディスプレイ装置。
【発明の詳細な説明】
【技術分野】
【０００１】
本発明は、映像投射ユニットから投射された映像光をミラーで反射し、透過型スクリーンに後方側から映写するようにしたリアプロジェクションディスプレイ装置に関するものである。
【背景技術】
【０００２】
従来のリアプロジェクションディスプレイ装置は、装置本体の正面に透過型スクリーンが設けられると共に、装置本体の下部に映像投射ユニットが配置されてなり、この映像投射ユニットから投射される映像光をミラーで反射して透過型スクリーンに後方側から映写する構造となっている。
【０００３】
この構成において映像光を反射するミラーは、例えば、特許文献１にも示されるように、スクリーンの後方側を覆うバックカバーの内面に保持されている。この場合ミラーは、バックカバーに四辺が保持される構造を有し、従来はバックカバーと一体に成型される保持片や、別部品のミラーホルダーをバックカバーにビス止めして保持するようにした構成が一般的であった。
【０００４】
前記ミラーの保持構造により、ミラー四辺全周に保持するためのスペースが必要であり又、リアプロジェクションディスプレイ装置運搬時の振動により、保持片やミラーホルダーから樹脂の削粉が発生しないよう、別部品をミラーと保持片やミラーホルダー間に、装着するのが一般的であった。
【特許文献１】特開２００７−３２２７１１号公報（第３図）
【発明の開示】
【発明が解決しようとする課題】
【０００５】
しかしながら、前記従来のミラーの保持構造は、ミラーの外周四辺を連続的に保持する為、バックカバーの形状精度がミラーの歪に与える影響が大きい。近年、バックカバーは樹脂の射出成形により成形することが一般的であるが、バックカバーはその大きさの為、成形歪みが発生しやすく、成形歪みを完全に除去することは不可能である。その為、傾斜背面部に成形歪みが発生したバックカバーへ、ミラーの外周四辺を連続的に保持した場合、ミラーに歪が発生し、その結果、透過型スクリーンに映写される映像にも歪が発生するという課題を有していた。
【０００６】
本発明は、前記従来の課題を解決するもので、ミラーに歪みを発生させることなくミラーをバックカバーへ確実に固定保持し、透過型スクリーンに映写される映像に歪みが発生しないリアプロジェクションディスプレイ装置を提供することを目的とする。
【課題を解決するための手段】
【０００７】
前記従来の課題を解決するために、本発明のリアプロジェクションディスプレイ装置は、映像光を発生させる映像投射ユニットと、映像光を反射するミラーと、ミラーで反射された映像光を映写する透過型スクリーンとを備え、前記透過型スクリーンの後方側を覆うバックカバーの内面に前記ミラーが、吸盤構造体によって固定保持される構造とすることを特徴としたものである。
【０００８】
また、本発明は、前記吸盤構造体において、内側に内設空間を設ける圧力蓋と、圧力蓋内側に設ける吸盤と、吸盤上方中央に設け圧力蓋を貫き、圧力蓋外側に突出した連結体と、圧力蓋外側に設けた圧力体により構成され、圧力体により連結体及び吸盤を上下動させることができ、連結体及び吸盤の位置を保つ機構を具備することを特徴としたものである。
【発明の効果】
【０００９】
本発明のリアプロジェクションディスプレイ装置によれば、ミラーに歪みを発生させることなくミラーをバックカバーへ確実に固定保持することができ、透過型スクリーンに歪みのない映像を得ることができる。
【００１０】
また、ミラーの裏面を吸盤構造体で直接吸着保持するため、従来必要としていたミラー外周部の保持するためのスペースが不要となり、ミラーを小型・軽量化でき、部品コストを削減することができる。さらに、リアプロジェクションディスプレイ装置運搬時に過大な衝撃が加わった際、ミラーを保持しているミラー外周のエッジ部分が起点となり、ミラー割れが発生していたが、本発明によればミラー外周部を保持しない為、ミラー外周のエッジ部分に衝撃が加わらず、ミラー割れのリスクを低減させることができる。
【発明を実施するための最良の形態】
【００１１】
以下に、本発明のリアプロジェクションディスプレイ装置の実施の形態を図面とともに詳細に説明する。
【００１２】
（実施の形態１）
図１は、本発明の実施例１におけるリアプロジェクションディスプレイ装置の全体構成を示す縦断側面図を示す。
【００１３】
図１において、リアプロジェクションディスプレイ装置１は、基台２と、この基台２に支持される筐体３とを構造体として構成される。筐体３は、透過型スクリーン７が垂直に保持される正面のフロントベゼル４と、透過型スクリーン７の後方側を覆うバックカバー５とで構成されており、このバックカバー５の傾斜背面部５ａの内面側にミラー８が傾斜姿勢で保持されている。そして基台２上には映像投射ユニット９が設置されており、この映像投射ユニット９から投射された映像光Ｌがバックカバー５の通光穴６を通して筐体３内に入射し、そこでこの映像光Ｌがミラー８で反射されて、透過型スクリーン７に背面側から映写される構造となっている。映像投射ユニット９は基台２と、リアカバー１０によって覆われている。
【００１４】
本発明は、このようなリアプロジェクションディスプレイ装置１におけるミラー８の保持構造に係るものである。
【００１５】
図２は、本発明の実施例１におけるバックカバー５の正面図、図３は前記バックカバー５の内側にミラー８を取り付けた状態の正面図である。また、ミラー８は、ガラス板の平滑表面の片側に蒸着によって反射膜を形成したものであり、全体として逆台形状に形成されている。そして、ミラー８の裏面も反射面と同じく表面は平滑で、吸盤が吸着するためには好条件となっている。そのようなミラー８裏面の左右対称規定位置に、逆台形状に４個の吸盤構造体１１が強力に吸着している。
【００１６】
そして、バックカバー５の傾斜背面部５ａには、ミラー８の裏面に吸着した吸盤構造体１１と相対する位置に連結孔５ｃが開いており、その周囲にはリブ５ｂがバックカバー５と一体で形成されている。この構成において、ミラー８をバックカバー５の傾斜背面部５ａに対して垂直方向より、ミラー８裏面を吸着保持した吸盤構造体１１上部の突起部を、傾斜背面部５ａに開いた連結孔５ｃに貫入させている。そして、傾斜背面部５ａからバックカバー５の外側へ突出した吸盤構造体１１上部の突起部と、結合体１３を、ねじ機構により結合固定することにより、ミラー８をバックカバー５の内側規定位置に固定保持する構造となっている。
【００１７】
前記の如くしてミラー８をバックカバー５に固定保持する吸盤構造体１１の構造を図４〜図５で詳細に示す。
【００１８】
図４は、本発明の実施例１における吸盤構造体１１のミラー８吸着保持部の構造を示す断面図、図５は、前記吸盤構造体１１の平面図である。尚、この図４及び図５では、吸盤構造体１１の吸着部１箇所のみを図示してあるが、他の３箇所の吸着部もこれと同様に構成されるものである。ここでは、軟質材質もしくはその他平滑面と機密効果を生じる材質により成形された吸盤１１ａがミラー８の裏面規定箇所に吸着している。吸盤１１ａ上方中央の位置には、硬質樹脂で成形された連結体１１ｂが吸盤１１ａと一体を成している。連結体１１ｂは円筒形の外周に等間隔に４箇所の凹み１１ｉが形成されており、円筒形の外周には、ねじ加工が施されている。同じく硬質樹脂で成形され内側に内設空間を設ける圧力蓋１１ｃの中央部には、円形の内側に等間隔に４箇所の突起部１１ｈを持つ孔１１ｆが形成されている。
【００１９】
この突起部１１ｈと、連結体１１ｂの外周に形成された凹み１１ｉを相対させた形で、圧力蓋１１ｃが吸盤１１ａ上に構成される。そして圧力蓋１１ｃ中央部の孔１１ｆから突出した連結体１１ｂのねじ部１１ｅに、ＰＯＭ樹脂などの滑性の良好な樹脂で成形されたナット構造の圧力体１１ｄが締め付けられる。これによって圧力蓋１１ｃは直接吸盤１１ａ周囲を圧して定位、並びに連結体１１ｂは上向きに推移し、吸盤１１ａ中央は上向きにきつく引っ張られると、吸盤１１ａとミラー８間の機密状態を呈する隙間１１ｇが拡大され、隙間１１ｇの空気圧力は、隙間１１ｇの拡張によって取り付ける箇所周辺環境の大気圧より低くなり、吸盤１１ａとミラー８間に強大な吸引固定力が生じる為、吸盤構造体１１の吸着力を向上させることができる。
【００２０】
また、吸盤の吸着力は、吸盤１１ａの吸着面積を変えることにより、任意に設定できる。さらに圧力体１１ｄをＰＯＭ樹脂等の滑性の良好な樹脂で成形したことにより、圧力蓋１１ｃとの間の摩擦を低減して、圧力蓋１１ｃの樹脂の削粉の発生を防止するようにしている。また、連結体１１ｂ外周の凹み１１ｉと、圧力蓋１１ｃ中央部の孔１１ｆの突起部１１ｈを噛み合わせたことにより、圧力体１１ｄを連結体１１ｂへ締め付ける際、連結体１１ｂが圧力体１１ｄの締め付け方向に回転するのを防止することができる。
【００２１】
図６は、本発明の実施例１における吸盤構造体１１のバックカバー５固定保持部の構造を示す縦断側面図である。尚、この図６では、吸盤構造体１１の固定部１箇所のみを図示してあるが、他の３箇所の固定部もこれと同様に構成されるものである。ここでは、ミラー８を、バックカバー５の傾斜背面部５ａに対して垂直方向より、ミラー８裏面を吸着保持した吸盤構造体１１上部の連結体１１ｂを、傾斜背面部５ａに開いた連結孔５ｃに貫入させ、傾斜背面部５ａからバックカバー５外側に出した吸盤構造体１１上方の連結体１１ｂのねじ部１１ｅへ、袋ナット構造をした結合体１３が締め付けられ、吸盤構造体１１がバックカバー５へ固定保持される構造となっている。
【００２２】
ここで、バックカバー５の傾斜背面部５ａに開いた連結孔５ｃの周囲には、角が面取りされたリブ５ｂがバックカバー５内面側に一体で形成されており、吸盤構造体１１上方の連結体１１ｂを、バックカバー５の傾斜背面部５ａに開いた連結孔５ｃに貫入させる際、連結体１１ｂを案内する役目を果たし、簡単に貫入させることができる。さらにリブ５ｂは、連結孔５ｃ周囲の強度及び剛性を向上させる効果がある。
【００２３】
以上のようなミラーの保持構造を採用したことにより、本例のリアプロジェクションディスプレイ装置１は、従来に比べて次のような効果が期待できる。
【００２４】
即ち、前述した如く従来のリアプロジェクションディスプレイ装置においては、ミラーの外周部四辺をバックカバー一体の保持片や、別部品のミラーホルダーで連続的に保持していたが、本例のリアプロジェクションディスプレイ装置１では、４個の吸盤構造体１１でミラー８をバックカバー５へ、点状で保持する構造としたことにより、バックカバー５の傾斜背面部５ａに歪みがある場合でも、ミラー８に歪を発生させることなくバックカバー５へ固定保持することができ、歪みのない映像を得ることができる。またここでは、吸盤構造体を４個使用しているが、ミラー８の大きさや重量及び、吸盤１１ａの吸着面積により、吸盤構造体の数量は任意に選択可能である。
【００２５】
また、ミラー８の裏面を軟質材質の吸盤１１ａで直接吸着保持するため、ミラー８外周部の保持スペースが不要となり、ミラー８を小型・軽量化でき、部品コストを削減することができる。また、リアプロジェクションディスプレイ装置１運搬時に過大な衝撃が加わった際でも、ミラー割れの基点となるミラー８外周のエッジ部分に直接衝撃が加わらないため、ミラー割れのリスクを低減させることができる。さらに、従来リアプロジェクションディスプレイ装置１運搬時や使用時の振動により、ミラーの保持部から樹脂の削粉が発生するのを防止する為に必要としていた別部品が不要となり、取り付け工数と部品コストを削減することができる。
【００２６】
（実施の形態２）
図７は、本発明の実施例２における吸盤構造体１１のミラー８吸着保持部の構造を示す断面図、図８は、本発明の実施例２における圧力蓋１１ｃが装着される前の吸盤１１ａのミラー８吸着保持部の平面図を示す。図７及び図８において、第１の実施例の構成と異なるところは、粘着シート１２を設けた点である。粘着シート１２が吸盤１１ａ外周の平面部と、ミラー８にまたがって貼り付けられることにより、吸盤１１ａとミラー８間の隙間１１ｇ内の機密性が保たれ、ミラー８の吸着保持の耐久性及び、吸着保持力をさらに向上させることができる。
【産業上の利用可能性】
【００２７】
本発明にかかるリアプロジェクションディスプレイ装置は、ミラーに歪みを発生させることなくミラーをバックカバーへ固定保持することができ、歪みのない映像を得ることができる。更に、ミラーを小型・軽量化でき、ミラー割れのリスクを低減させることができる為、特に大型のリアプロジェクションディスプレイ装置に有用である。
【図面の簡単な説明】
【００２８】
【図１】本発明の実施例１におけるリアプロジェクションディスプレイ装置の全体構成を示す縦断側面図
【図２】本発明の実施例１におけるバックカバーの正面図
【図３】本発明の実施例１におけるバックカバーの内側にミラーを取り付けた状態の正面図
【図４】本発明の実施例１における吸盤構造体のミラー吸着保持部の構造を示す断面図
【図５】本発明の実施例１における吸盤構造体のミラー吸着保持部の平面図
【図６】本発明の実施例１における吸盤構造体のバックカバー固定保持部の構造を示す縦断側面図
【図７】本発明の実施例２における吸盤構造体のミラー吸着保持部の構造を示す断面図
【図８】本発明の実施例２における圧力蓋が装着される前の吸盤のミラー吸着保持部の平面図
【符号の説明】
【００２９】
１      リアプロジェクションディスプレイ装置
２      基台
３      筐体
４      フロントベゼル
５      バックカバー
５ａ    傾斜背面部
５ｂ    リブ
５ｃ    連結孔
６      通光孔
７      透過型スクリーン
８      ミラー
９      映像投射ユミット
１０    リアカバー
１１    吸盤構造体
１１ａ  吸盤
１１ｂ  連結体
１１ｃ  圧力蓋
１１ｄ  圧力体
１１ｅ  ねじ部
１１ｆ  孔
１１ｇ  隙間
１１ｈ  突起部
１１ｉ  凹み
１２    粘着シート
１３    結合体
Ｌ      映像光
【図１】
2009216846.tif 000003
【図２】
2009216846.tif 000004
【図３】
2009216846.tif 000005
【図４】
2009216846.tif 000006
【図５】
2009216846.tif 000007
【図６】
2009216846.tif 000008
【図７】
2009216846.tif 000009
【図８】
2009216846.tif 000010